(57)【要約】【課題】塵埃の視認性を向上させた電気掃除機の提供。【解決手段】電動送風機２を内蔵する掃除機本体１と、被清掃面の塵埃を吸引する吸込具７と、一端が掃除機本体１に接続されるホース４と、一端がホース４の他端に接続され、他端が吸込具７に着脱自在に接続される延長管６と、延長管６の吸込具７側端部に設けられ被清掃面を照明する照明部１３を備え、照明部１３は、照射範囲が広い第１の照明手段１４と、照明範囲が狭い第２の照明手段１５を有し、吸込具７が延長管６に接続されている場合は、第１の照明手段１４によって被清掃面を照明し、吸込具７が延長管６から取り外されている場合は、第２の照明手段１５で被清掃面を照明するもので、吸込具７で広い場所を掃除する時は、吸込具７前方の広い範囲の塵埃を照射し、吸込具７を外し狭い場所を掃除する時は、狭い範囲の塵埃のみを照射して塵埃の視認性を向上させることができる。【選択図】図１
2014069023.tif 000002
【特許請求の範囲】
【請求項１】
吸引風を発生させる電動送風機を内蔵する掃除機本体と、被清掃面の塵埃を吸引する吸込具と、一端が前記掃除機本体に接続されるホースと、一端が前記ホースの他端に接続され、他端が前記吸込具に着脱自在に接続される延長管と、前記延長管の前記吸込具側の端部に設けられ被清掃面を照明する照明部とを備え、前記照明部は、照射範囲が広い第１の照明手段と、前記第１の照明手段よりも照明範囲が狭い第２の照明手段を有し、前記吸込具が前記延長管に接続されている場合は、前記第１の照明手段によって被清掃面を照明し、前記吸込具が前記延長管から取り外されている場合は、前記第２の照明手段によって被清掃面を照明するようにしたことを特徴とする電気掃除機。
【請求項２】
延長管と吸込具との着脱を検知する着脱検知手段と、前記着脱検知手段からの信号に基づき、前記照明部を制御する制御手段とを備え、前記制御手段は、前記着脱検知手段により前記吸込具が前記延長管に接続されていることが検知されている場合は、前記第１の照明手段によって被清掃面を照明し、前記着脱検知手段によって、前記吸込具が前記延長管から取り外されていることが検知されている場合は、前記第２の照明手段によって被清掃面を照明することを特徴とする請求項１に記載の電気掃除機。
【請求項３】
第２の照明手段を、延長管の中心軸に沿うように配置した請求項１又は２に記載の電気掃除機。
【請求項４】
第１の照明手段は、複数設けられており、前記第１の照明手段を延長管の中心軸より少し離れた左右にそれぞれ配置した請求項１〜３のいずれか１項に記載の電気掃除機。
【請求項５】
照明部は、延長管の外郭に設けられると共に、第１の照明手段及び第２の照明手段を内蔵するケース体と、前記ケース体の吸込具側の端部に設けられたカバー体から構成されている請求項１〜４のいずれか１項に記載の電気掃除機。
【発明の詳細な説明】
【技術分野】
【０００１】
本発明は、電気掃除機に関するもので、特に、被掃除面を照らす照明手段を有する電気掃除機に関するものである。
【背景技術】
【０００２】
従来、この種の電気掃除機においては、被清掃面上の塵埃の視認性を向上させるべく、被清掃面を照射する照明手段を延長管に配置した構成が提案されている（例えば、特許文献１参照）。
【０００３】
図６は、上記特許文献１に記載された従来の電気掃除機の斜視外観図である。
【０００４】
図６において、従来の電気掃除機３０は、吸引風を発生させる電動送風機２を内蔵する掃除機本体１と、被清掃面の塵埃を吸引する吸込具７と、一端が掃除機本体１に接続されるホース４と、一端がホース４の他端に取り付けられ、他端が吸込具７に取り付けられる延長管６と、延長管６に取り付けられ、延長管６の前方に光を照射する照明部１３とから構成されている。
【先行技術文献】
【特許文献】
【０００５】
【特許文献１】実開平０２−１０６６号公報
【発明の概要】
【発明が解決しようとする課題】
【０００６】
しかしながら、上記従来の電気掃除機においては、広い場所を掃除するときも狭い場所を掃除するときも同じ照射範囲を照射しており、使用状態に応じて照射範囲が変わっていなかった。
【０００７】
すなわち、上記従来の電気掃除機においては、照明部１３の照射範囲が広ければ吸込具７を外し狭い場所を掃除する際に前方だけでなく壁なども照射してしまい、照明部の照射範囲が狭ければ吸込具７の前方全体を照射できず、使用状態に応じて前方の塵埃をきちんと照射できず、塵埃の視認性が悪い場合があった。
【０００８】
本発明は、上記従来技術の有する課題に鑑みてなされたものであり、照明部による照射範囲を使用状態に応じて変え、塵埃の視認性を向上させることができる電気掃除機を提供することを目的とする。
【課題を解決するための手段】
【０００９】
上記従来の課題を解決するために、本発明の電気掃除機は、吸引風を発生させる電動送風機を内蔵する掃除機本体と、被清掃面の塵埃を吸引する吸込具と、一端が前記掃除機本体に接続されるホースと、一端が前記ホースの他端に接続され、他端が前記吸込具に着脱自在に接続される延長管と、前記延長管の前記吸込具側の端部に設けられ被清掃面を照明する照明部とを備え、前記照明部は、照射範囲が広い第１の照明手段と、前記第１の照明手段よりも照明範囲が狭い第２の照明手段を有し、前記吸込具が前記延長管に接続されている場合は、前記第１の照明手段によって被清掃面を照明し、前記吸込具が前記延長管から取り外されている場合は、前記第２の照明手段によって被清掃面を照明するようにしたもので、吸込具を装着し広い場所を掃除するときは、吸込具の前方全体の広い範囲の塵埃を照射し、吸込具を外し狭い場所を掃除するときは、狭い範囲の塵埃のみを照射でき、使
用状態に応じて、塵埃の視認性を向上させることができる。
【発明の効果】
【００１０】
本発明の電気掃除機は、吸込具が延長管に接続されている場合は、第１の照明手段によって広い範囲の被清掃面を照射し、吸込具が延長管から取り外されている場合は、第２の照明手段によって狭い範囲の被清掃面を照射することができ、使用状態に応じて、塵埃の視認性を向上させることができる。
【図面の簡単な説明】
【００１１】
【図１】本発明の実施の形態１における電気掃除機の斜視外観図
【図２】同電気掃除機の制御ブロック図
【図３】同電気掃除機の制御のフローチャート
【図４】（ａ）同電気掃除機の吸込具装着時の照明部の概略図、（ｂ）同電気掃除機の吸込具未装着時の照明部の概略図
【図５】同照明部の斜視外観図
【図６】従来の電気掃除機の斜視外観図
【発明を実施するための形態】
【００１２】
第１の発明は、吸引風を発生させる電動送風機を内蔵する掃除機本体と、被清掃面の塵埃を吸引する吸込具と、一端が前記掃除機本体に接続されるホースと、一端が前記ホースの他端に接続され、他端が前記吸込具に着脱自在に接続される延長管と、前記延長管の前記吸込具側の端部に設けられ被清掃面を照明する照明部とを備え、前記照明部は、照射範囲が広い第１の照明手段と、前記第１の照明手段よりも照明範囲が狭い第２の照明手段を有し、前記吸込具が前記延長管に接続されている場合は、前記第１の照明手段によって被清掃面を照明し、前記吸込具が前記延長管から取り外されている場合は、前記第２の照明手段によって被清掃面を照明するようにしたもので、吸込具を装着し広い場所を掃除するときは、吸込具の前方全体の広い範囲の塵埃を照射し、吸込具を外し狭い場所を掃除するときは、狭い範囲の塵埃のみを照射でき、使用状態に応じて、塵埃の視認性を向上させることができる。
【００１３】
第２の発明は、特に、第１の発明の延長管と吸込具との着脱を検知する着脱検知手段と、前記着脱検知手段からの信号に基づき、前記照明部を制御する制御手段とを備え、前記制御手段は、前記着脱検知手段により前記吸込具が前記延長管に接続されていることが検知されている場合は、前記第１の照明手段によって被清掃面を照明し、前記着脱検知手段によって、前記吸込具が前記延長管から取り外されていることが検知されている場合は、前記第２の照明手段によって被清掃面を照明するもので、吸込具と延長管との着脱動作に連動して、第１の照明手段と第２の照明手段が自動的に切り替わるので、使用勝手の良い電気掃除機を提供することが出来る。
【００１４】
第３の発明は、特に、第１又は第２の発明の第２の照明手段を、延長管の中心軸に沿うように配置したもので、吸込具を取り外し狭い場所を掃除するときに、照射が広がりすぎず、延長管の前方の被掃除面の塵埃のみを照射し、塵埃の視認性を向上させることができる。
【００１５】
第４の発明は、特に、第１〜３のいずれか一つの発明の第１の照明手段は、複数設けられており、前記第１の照明手段を延長管の中心軸より少し離れた左右にそれぞれ配置したもので、吸込具を装着し広い場所を掃除するときに、照射範囲を広げ、吸込具の前方全体の広い範囲の被掃除面の塵埃を照射し、塵埃の視認性を向上させることができる。
【００１６】
第５の発明は、特に、第１〜４のいずれか一つの発明の照明部は、延長管の外郭に設け
られると共に、第１の照明手段及び第２の照明手段を内蔵するケース体と、前記ケース体の吸込具側の端部に設けられたカバー体から構成されているもので、掃除中に照明部を周囲に衝突させたときに、その衝撃から第１の照明手段及び第２の照明手段を保護することができ、ケース体の吸込具側の端部に設けられたカバー体により、照明部が塵埃などで汚れたときに、汚れを容易に拭き取れ、照射の明るさを保ち続けることができる。
【００１７】
以下、図面を参照しながら本発明の電気掃除機の好適な実施の形態について詳細に説明する。なお、以下の説明では、同一または相当部分には同一符号を付し、重複する説明は省略する。
【００１８】
（実施の形態１）
図１は、本発明の実施の形態１における電気掃除機の斜視外観図、図２は、同電気掃除機の制御ブロック図、図３は、同電気掃除機の制御のフローチャート、図４（ａ）は、同電気掃除機の吸込具装着時の照明部の概略図、図４（ｂ）は、同電気掃除機の吸込具未装着時の照明部の概略図、図５は、同照明部の斜視外観図である。
【００１９】
図１に示すように、本実施の形態における電気掃除機は、掃除機本体１とホース４と延長管６と吸込具７とから構成されている。
【００２０】
掃除機本体１の後部には、吸込風を発生させる電動送風機２が内蔵されている。また、掃除機本体１の前部、すなわち、電動送風機２の上流側には、電動送風機２で発生された吸引風によって吸引された塵埃を捕集する集塵容器３が配置されている。また、後部には、コンセント（後述の商用電源８）に接続して、掃除機本体１に内蔵されている回路基板（図示せず）に電源を供給するための電源コード（図示せず）が設けられている。
【００２１】
ホース４の先端部には、各種動作モード（例えば、「強」・「弱」・「停止」等の吸込み力）が選択できる手元操作部５が設けられている。
【００２２】
吸込具７は、下面に塵埃を吸引する吸込口（図示せず）を有する吸込具本体９と、吸込具本体９の後方の中央部に回動自在に取付けられた接続管１０とから構成されている。吸込具本体９には、被清掃面の塵埃を掻きあげる回転ブラシ（図示せず）と、回転ブラシを回転駆動する電動機（図示せず）とが設けられている。
【００２３】
また、図２に示すように、吸込具７には、吸込具７の装着の有無を掃除機本体１の制御手段１８に通知する着脱検知手段１９が設けられている。
【００２４】
延長管６は、吸込具７が延長管６に装着時は、着脱検知手段１９に電気的に接続し、吸込具７が延長管６に未装着は、掃除機本体１の制御手段１８に連通するように接続するスイッチ２３が設けられている。
【００２５】
図１に戻り、延長管６は、伸縮可能は一対の延長管本体１１と、延長管本体１２から構成され、延長管本体１２の外郭の先端部には、被掃除面を照明する照明部１３が設けられている。
【００２６】
図４、５において、照明部１３は、光源となる、照射範囲が広い第１の照明手段１４と、照射範囲の狭い第２の照明手段１５とを内蔵するケース体１６と、ケース体１６の吸込具７側の端部に設けられたカバー体１７とを有している。また、ケース体１６の内部には、延長管本体１２から突設された端子（図示せず）に電気的に接続する回路部（図示せず）が内蔵されている。
【００２７】
図４に示すように、本実施の形態においては、第２の照明手段１５は、延長管６の中心軸の近くに配置され、さらに、第１の照明手段１４は、延長管６の中心軸より少し離れた左右にそれぞれ配置する構成になっている。
【００２８】
以上のように構成された本実施の形態における電気掃除機について、以下、その動作及び作用を説明する。
【００２９】
図３に示すように、使用者が電気掃除機の運転を開始すると、着脱検知手段１９からの信号の有無を制御手段１８に送り、吸込具７の着脱を判断する。そして、吸込具７が装着され、フローリングなどの広い場所を掃除する場合は、制御手段１８により、第１の照明手段１４に電流を流し、この第１の照明手段１４が点灯し、光Ｌが前方へ照射される。
【００３０】
このとき、図４（ａ）に示すように、第１の照明手段１４は、延長管６の中心軸より少し離れた左右にそれぞれ配置する構成になっており、また、第１の照明手段１４は、それぞれ一つずつの照射範囲が広いため、広い範囲を光Ｌにより照明することができ、光Ｌによって、吸込具７の前方全体の被掃除面の範囲が照射される。
【００３１】
また、吸込具７を取り外し、狭い隙間などを掃除する場合は、制御手段１８により、第２の照明手段１５に電流を流し、この第２の照明手段１５が点灯し、光Ｌが前方へ照射される。
【００３２】
このとき、図４（ｂ）に示すように、第２の照明手段１５は、それぞれ照射範囲が狭いため、光Ｌによって、延長管６の前方のみの被掃除面が照射される。
【００３３】
すなわち、光Ｌの照明範囲が狭いことで、周辺の壁まで照射し、延長管６の前方全体が白っぽくなり、塵埃の視認性が悪くなることによる塵埃の取り残しが発生してしまうことを防ぎ、延長管６の前方の被掃除面にある塵埃のみを確実に照射でき、塵埃の視認性を向上させることできる。
【００３４】
以上のように本実施の形態における電気掃除機によれば、吸込具７を装着し広い場所を掃除するときは、吸込具７の前方全体の広い範囲の塵埃を照射し、吸込具７を外し狭い場所を掃除するときは、狭い範囲の塵埃のみを照射でき、使用状態に応じて、塵埃の視認性を向上させることができる。
【００３５】
しかも、一般に、照明の照射範囲を変化させるには、照明手段に流れる電流値を変化させる必要があり、特に照射範囲を広くするためには、その照明手段に多くの電流を流す必要があり、その分消費電力が上がるが、第１の照明手段１４として、照射範囲の広い照明手段と、第２の照明手段１５として、照射範囲の狭い照明手段を使用し、照射範囲の異なる２種類の照明手段を使い分けることで、照明手段に流す電流値を変化させる必要がなくなり、その分消費電力も抑えられることができる。
【００３６】
さらに、第１の照明手段１４として、照射範囲の広いＬＥＤと、第２の照明手段１５として、照射範囲の狭いＬＥＤを使用することで、白熱電球等を用いるのに比べて、より消費電力を抑えることができる。
【００３７】
使用者により、電気掃除機が掃除に使用されると、ホース４、延長管６及び吸込具７は、壁や机など部屋にある周辺のものに当たる場合が多々あり、特に、狭い隙間を掃除する際などは、壁に擦られることもあるが、ケース体１６は、そのような衝撃から、第１の照明手段１４と、第２の照明手段１５を保護し、破壊を防ぐことができる。
【００３８】
また、電気掃除機により掃除を行うことで、被掃除面の塵埃が舞い上がり、特に、狭い隙間を掃除するときは、塵埃が堆積していることもあり、塵埃が照明部１３に付着しやすいが、ケース体１６の吸込具７側の端部に設けられたカバー体１７は、照明部１３に塵埃が付着しても、第１の照明手段１４と、第２の照明手段１５を傷つけることがなく、布などにより、塵埃を取り除くことが容易になり、照明の明るさを保ち続けることができる。
【００３９】
この結果、照明部１３の第１の照明手段１４と、第２の照明手段１５は、周辺のものとの衝撃による破壊や、塵埃などの汚れによる照明の明るさの低下を防ぐことができ、長い間、使用者に塵埃の視認性の高い電気掃除機を提供することができる。
【００４０】
以上、本発明の電気掃除機の実施の形態１について説明したが、本発明の電気掃除機は上述した実施の形態１に限定されるものではない。
【００４１】
例えば、上記実施の形態では、延長管６と吸込具７との着脱を検知する着脱検知手段１９と、着脱検知手段１９からの信号に基づき、照明部１３を制御する制御手段１８により、吸込具７が延長管６に接続されていることが検知されている場合は、第１の照明手段１４によって被清掃面を照射し、吸込具７が延長管６から取り外されていることが検知されている場合は、第２の照明手段１５によって被清掃面を照射するとした構成について説明したが、スイッチ（図示しない）などを延長管６と、吸込具７が接触する場所へ設け、そのスイッチの切り替えにより、第１の照明手段１４と第２の照明手段１５との切り替えを行う構成であってもよい。
【００４２】
これにより、吸込具７に着脱検知手段１９や、着脱検知手段１９からの信号に基づき動作する制御手段１８等がなくても、上記実施の形態と同様の作用効果を奏することができる。
【００４３】
また、照明部１３は、少なくとも被掃除面に光Ｌを照射できれば、延長管６の吸込具７側の端部以外でも、例えば、吸込具７の接続管１０など、任意の位置に設けてもよい。
【産業上の利用可能性】
【００４４】
以上のように本発明の電気掃除機によれば、吸込具を装着し広い場所を掃除するときは、吸込具の前方全体の広い範囲の塵埃を照射し、吸込具を外し狭い場所を掃除するときは、狭い範囲の塵埃のみを照射でき、使用状態に応じて、塵埃の視認性を向上させることができるようになるため、家庭用電気掃除機及び産業用電気掃除機の分野・用途に好適に適用することができる。
【符号の説明】
【００４５】
１  掃除機本体
２  電動送風機
４  ホース
６  延長管
７  吸込具
１３  照明部
１４  第１の照明手段
１５  第２の照明手段
１６  ケース体
１７  カバー体
１８  制御手段
１９  着脱検知手段
【図１】
2014069023.tif 000003
【図２】
2014069023.tif 000004
【図３】
2014069023.tif 000005
【図４】
2014069023.tif 000006
【図５】
2014069023.tif 000007
【図６】
2014069023.tif 000008